(57)【要約】      （修正有）【課題】複雑な機構を付加せずしてピップアップを塵埃などの外敵から保護することのできるトレー搬送方式のディスク駆動装置を提供する。【解決手段】ターンテーブル５４に装着されたディスクの盤面に沿ってその半径方向に移動するピックアップ５５と、ディスクを搬送するディスクトレー５２とを有し、ディスクトレー５２が筐体５１内のドライブ位置と筐体５１外のイジェクト位置との間を移動可能とされるディスク駆動装置である。ディスクトレー５２には、ディスクトレー５２をイジェクト位置に移動させることによってピックアップ５５を覆う状態となるピックアップカバー５６が取り付けられる。【選択図】図２０
2008204590.tif 000002
【特許請求の範囲】
【請求項１】
ターンテーブルに装着されたディスクの盤面に沿ってその半径方向に移動するピックアップと、前記ディスクを搬送するディスクトレーとを有し、そのディスクトレーが筐体内のドライブ位置と筐体外のイジェクト位置との間を移動可能とされるディスク駆動装置において、
前記ディスクトレーの移動と連動して移動し、前記ディスクトレーが前記イジェクト位置にあるときに前記ピックアップを覆うピックアップカバーを備えたことを特徴とするディスク駆動装置。
【発明の詳細な説明】
【技術分野】
【０００１】
本発明は、筐体の内部と外部との間を移動するディスクトレーによりディスクを搬送する方式のディスク駆動装置に係わり、特に情報の読み書きに用いられるピックアップがユーザにより触れられたり、そのピックアップに塵埃が付着したりするのを防止できるようにしたディスク駆動装置に関する。
【背景技術】
【０００２】
従来、ディスク駆動装置として、筐体内に配置されるターンテーブルにディスクを手動で装着するもの、マガジン内に収納された複数のディスクから選択された一枚のディスクを取り出してターンテーブル上に自動搬送するオートチェンジャ機能を備えたもの、及びディスクをトレーに載せて搬送するトレー搬送方式のものが知られる。
【０００３】
このうち、トレー搬送方式のディスク駆動装置では、ディスクトレーが筐体内のドライブ位置と筐体外のイジェクト位置との間で移動可能とされ、ディスクトレーがドライブ位置に移動されたとき、これに配置されたディスクが筐体内のターンテーブルに装着される構成とされるが、中にはディスクトレーにターンテーブルやピックアップが組み付けられ、ディスクトレーをイジェクト位置に移動させた状態でターンテーブルにディスクを装着できるようにしたものもある。
【０００４】
一方、筐体内に配置されるターンテーブルにディスクを手動で装着する方式のディスク駆動装置は、筐体を構成する蓋を開けることによりターンテーブルやピックアップが外部に露呈するようになっている。このため、その種のディスク装置では、ターンテーブルにディスクを装着するとき、ピックアップ（特にその対物レンズ）にユーザの指先が触れてしまったり周囲を浮遊する塵埃が付着したりしてピックアップの性能を劣化させてしまう虞がある。
【０００５】
そこで、蓋を開閉してディスクの交換を行う構成のディスク駆動装置において、ピックアップが配置されるシャーシにレンズカバーを設け、そのレンズカバーと蓋とをリンク機構などを介して連結し、蓋を開けたときにレンズカバーがリンク機構とスライダとによりピックアップのレンズカバーに被さる位置まで移動されるという機構が提案されている（例えば、特許文献１）。
【０００６】
【特許文献１】実開平６−５２０１７号公報（段落００１１〜００１２、図２）
【発明の開示】
【発明が解決しようとする課題】
【０００７】
しかしながら、特許文献１によれば、ピックアップが配置されるシャーシにレンズカバーを設け、蓋の回転運動を直線運動に変換してレンズカバーに伝達するようにしていることから、レンズカバーと蓋との間にリンク機構やスライダといった複雑な伝動機構を介在させなければならない。このため、装置を設計する上で筐体内にリンク機構やスライダの動作領域を確保するなどの大きな制約を受けてしまうばかりでなく、装置全体として構造が複雑化し、装置コストが高くなるという問題がある。
【０００８】
尚、特許文献１では、トレー搬送方式のディスク駆動装置は殆どの場合ユーザがピックアップに触ることができないとしているが、トレー搬送方式でもディスクトレーが筐体外のイジェクト位置に移動されたとき、筐体の開口部から塵埃が内部に侵入してピックアップに付着してしまう虞があるし、ディスクトレーにピックアップが組み付けられるものでは、それこそピップアップがユーザに触られて故障する可能性がある。
【０００９】
本発明は以上のような事情に鑑みて成されたものであり、その目的は複雑な機構を付加せずしてピップアップを塵埃などの外敵から保護することのできるトレー搬送方式のディスク駆動装置を提供することにある。
【課題を解決するための手段】
【００１０】
本発明は上記目的を達成するため、
ターンテーブル７，５４に装着されたディスクの盤面に沿ってその半径方向に移動するピックアップ９，５５と、ディスクを搬送するディスクトレー４，５２とを有し、そのディスクトレー４，５２が筐体１，５１内のドライブ位置と筐体１，５１外のイジェクト位置との間を移動可能とされるディスク駆動装置において、
ディスクトレー４，５２の移動と連動して移動し、ディスクトレー４，５２が前記イジェクト位置にあるときにピックアップ９，５５を覆うピックアップカバー５，５６を備えたことを特徴とする。
【発明の効果】
【００１１】
本発明に係るディスク駆動装置によれば、
ディスクトレーを筐体外のイジェクト位置に移動させることによってピックアップを覆う状態となるピックアップカバーを備えることから、ディスクトレーをイジェクト位置に移動させたときでも、ピックアップを遮蔽して、これに塵埃が付着したりユーザが触れたりすることを防止できる。このため、ピックアップの性能を長期に亘って初期状態に維持し、装置の信頼性を向上できる。
【００１２】
特に、ピックアップカバーがディスクトレーと連動して移動することから、複雑な伝動機構を付加せず、既存のトレー移動機構を利用してピックアップカバーをディスクトレーの移動に同期させてピックアップを覆う位置まで移動させることができる。このため、装置構造が複雑化せず、ピックアップを保護するという機能追加によるコストアップを抑制できる。
【発明を実施するための最良の形態】
【００１３】
以下、本発明に係るディスク駆動装置の具体的な構成例を図面に基づいて詳しく説明する。図１はディスクを回転駆動するときの状態であり、図２にはディスクをイジェクトするときの状態を示している。
【００１４】
図１、図２において、１は本発明に係るディスク駆動装置の外装を成す筐体であり、その下部前面側は上縁を自由端として開閉動作するフロントドア２とされる。図２に示されるように、フロントドア２の裏側には回転自在なクランプ盤３が設けられており、フロントドア２が図１の如く閉じられた状態でそのクランプ盤３と後述するターンテーブルとによりディスクの中心部がチャッキングされるようになっている。
【００１５】
又、図２において、４はフロントドア２が開かれることによって現れるディスクトレーであり、このディスクトレー４は、筐体１から水平状態に張り出すイジェクト位置（図２参照）と、後述するターンテーブルに平行して筐体１内で垂直姿勢となるドライブ位置と、の間を旋回移動し、図２に示されるイジェクト位置では当該ディスクトレー４にディスクを配置可能とされる。特に、ディスクトレー４にはイジェクト位置において上向きとなる面に凹状のディスク配置部４ａが形成される。そのディスク配置部４ａは同心円状の第１配置部４ａ１と第２配置部４ａ２から成り、このうち第１配置部４ａ１に小径（例えば直径８ｃｍ）のディスクが嵌合配置され、第２配置部４ａ２には大径（例えば直径１２ｃｍ）のディスクが配置可能とされる。
【００１６】
尚、図２において、５はディスクトレー４に取り付けたピックアップカバーであり、このピックアップカバー５は、ディスクトレー４がイジェクト位置にあるときに後述するピックアップを覆って該ピックアップに塵埃が付着したりユーザが触れたりするのを防止する働きをする。ここに、上記のフロントドア２は、ディスクトレー４の旋回移動に連動して開閉動作を行うが、ディスクトレー４がイジェクト位置にあるときには、フロントドア２が傾斜姿勢に開かれたままディスクトレー４の下方領域を覆うようになるので、そのフロントドア２によってもピックアップがユーザにより触れられることを防止することができる。
【００１７】
又、６はフロントドア２より上方に設けられるスライドドアであり、このスライドドア６はディスクトレー４の旋回移動を許容するべく上下方向に摺動し、ディスクトレー４が筐体１内のドライブ位置まで旋回移動したときには、該スライドドア６と上述のフロントドア２とにより筐体１の前面開閉部分が図１のように密閉される構成となっている。
【００１８】
図３はドライブ位置のディスクトレー４を実線で示している。尚、図３において、７はディスクＤを回転させるターンテーブル、８はターンテーブル７を回転駆動するモータ、９はディスクＤに情報を記録したりその記録情報を読み出したりするのに用いられるピックアップであり、ディスクトレー４がドライブ位置にあるときには、ターンテーブル７がその軸線を水平方向に向けたまま、上記クランプ盤３と協同してディスクＤの中心部をチャッキングしてディスクＤの回転駆動を行い、ディスクトレー４はターンテーブル７に装着されたディスクＤに対して平行（ディスクに対して若干傾いた略平行を含む）な垂直姿勢になる。又、ピックアップ９は、回転されるディスクＤの盤面に沿ってその半径方向に移動しながら、情報の読み出しや書き込みを行う。
【００１９】
ここに、ディスクトレー４は、その旋回移動により、ドライブ位置ではターンテーブル７にディスクＤを引き渡してディスクＤから離間し、ディスクＤをイジェクトするときにはターンテーブル７側に旋回移動してターンテーブル７からディスクＤを引き取るよう動作する。
【００２０】
次に、ディスクトレーの構成を説明する。図４はディスクトレーの平面図、図５は同トレーを表面側からみた透視図である。これらの図で明らかなように、ディスクトレー４はその中央部から一端側に開放せしめた切欠部４ｂを有する平面視略門形の形態で、切欠部４ｂの開放側とは反対の端縁には左右一対のブラケット４ｃが突設され、その両ブラケットからディスクトレー４の幅方向に支点軸４ｄ（ヒンジピン）が突出されている。
【００２１】
切欠部４ｂは、図５のようにピックアップ９の移動経路に対応する位置に形成されるもので、ディスクＤをターンテーブル７に装着するときには、係る切欠部４ｂの位置でターンテーブル７がディスクトレー４をその厚さ方向（図示面直角方向）に透過することが許容され、ターンテーブル７に装着されたディスクＤに対しては切欠部４ｂを通じてピックアップ９からレーザ光を照射することが可能とされる。
【００２２】
又、支点軸４ｄは、ディスクトレー４が上述のイジェクト位置とドライブ位置との間を旋回移動するときの支点となる移動支点で、ディスクトレー４の旋回移動時には当該支点軸４ｄが自転しながら上下方向（ターンテーブル７の軸線と直交する方向）に直進移動する構成とされている。
【００２３】
一方、図４に示されるように、ディスクトレー４に形成される上記ディスク配置部４ａにおいて、第１配置部４ａ１にはその周壁を部分的に切り欠いてなるスリット４ｅが形成され、第２配置部４ａ２には切欠部４ｂの開放側の周縁に沿って円弧状の凸条４ｆが形成される。スリット４ｅと凸条４ｆは、ディスクトレー４の旋回移動時にディスク配置部４ａからディスクが脱落するのを防止するためのもので、このうちスリット４ｅの近隣には、第１配置部４ａ１に配置されたディスクを保持するためのリテーナプレート１０と該リテーナプレートを作動させるためのトリガープレート１１とが設けられる。
【００２４】
リテーナプレート１０とトリガープレート１１は、スリット４ｅに隣接してディスクトレー４の裏面側に設けられており、一方のリテーナプレート１０は図５に示される軸部４ｇを中心に揺動可能とされ、他方のトリガープレート１１はディスクトレー４に形成されるガイドレール４ｈに沿ってリテーナプレート１０に対し接近する方向と離間する方向とに移動可能とされている。このうち、リテーナプレート１０は、その一端部に上述のスリット４ｅに対応する爪部１０ａと後述する凸部１０ｂが形成されると共に、リテーナプレート１０の他端側はバネ１２によりディスクトレー４の部位に繋がれ、そのバネ１２により爪部１０ａが第１配置部４ａ１に向かうような付勢力が与えられている。特に、リテーナプレート１０には、図６のように一端が開放された係止溝１０ｃが形成されている。
【００２５】
図７は、リテーナプレート１０とトリガープレート１１の配置部分をディスクトレー４の裏面側からみた拡大図である。この図で明らかなように、トリガープレート１１にはリテーナプレート１０の係止溝１０ｃに嵌るロックピン１１ａが形成され、そのロックピン１１ａが係止溝１０ｃに嵌ることでリテーナプレート１０がバネ１２の付勢力に抗して図７の実線位置に拘束されるようにしてある。そして、係るトリガープレート１１が図７の矢印方向（図７の上側）に移動してロックピン１１ａが係止溝１０ｃから脱出されたとき、リテーナプレート１０がバネ１２の作用により図７の時計回りに揺動され、しかして爪部１０ａが上記スリット４ｅ（図４参照）から第１配置部４ａ１内に進入してディスクＤの端面に押し付き、これによって当該ディスクＤの保持が行われるようになっている。
【００２６】
尚、図７に示されるように、トリガープレート１１にはその長手方向（移動方向）に沿ってラック部１１ｂが形成され、そのラック部１１ｂに動力伝達が行われることにより当該トリガープレート１１がその長手方向に移動しながらリテーナプレート１０を上記のように作動させるようになっているが、ディスクトレー４が上記ドライブ位置とイジェクト位置にあるときは、リテーナプレート１０によるディスクＤの保持は行われず（リテーナプレート１０が図７の実線位置に拘束され）、ディスクトレー４がドライブ位置とイジェクト位置との間で旋回移動する途上の傾斜姿勢において、リテーナプレート１０によるディスクＤの保持動作が行われるようなメカニズムとなっている。
【００２７】
次に、図８はディスクトレー４と上記ピックアップカバー５との斜視分解図を示す。この図で明らかなように、ピックアップカバー５は矩形状の薄板で、その一角に直角に折れ曲がった長短２つの脚部５ａ，５ｂが形成されると共に、左右両側縁には一対の軸部５ｃが形成される。又、脚部５ａが形成される端縁とは反対の端縁には円弧状の切欠部５ｄが形成される。この切欠部５ｄは、ディスクトレー４がドライブ位置にあるときピックアップカバー５が上記ターンテーブルに干渉するのを防止するためのもので、該切欠部５ｄの曲率中心はドライブ位置におけるディスクトレー４のディスク配置部４ａの中心に一致する。
【００２８】
一方、ディスクトレー４のブラケット４ｃには、ピックアップカバー５の軸部５ｃを回転自在に支持する孔部４ｉが形成される。そして、ピックアップカバー５はその軸部５ｃを孔部４ｉに差し込んでディスクトレー４の裏面側に揺動自在に取り付けられる。特に、軸部５ｃの外周にはトーションバネ５ｅが設けられ、その一端がピックアップカバー５の裏面側に係止されると共に、他端がディスクトレー４の部位に係止される。
【００２９】
これにより、ピックアップカバー５は図８の時計回りに付勢され、ディスクトレー４に平行してその裏面に密着するようになっている。但し、ディスクトレー４がドライブ位置からイジェクト位置に移行するとき、ピックアップカバー５はディスクトレー４に追従して旋回せず、上記脚部５ａ，５ｂからトーションバネ５ｅの付勢力に抗する反力が与えられることによりディスクトレー４の裏面より離脱してディスクトレー４と直交する状態となる。
【００３０】
図９はディスクトレー４がドライブ位置とイジェクト位置にあるときのピックアップカバーの状態を示し、図１０はディスクトレー４が旋回移動しているときのピックアップカバー５の状態を示している。
【００３１】
図９から明らかなように、ディスクトレー４が一点鎖線で示されるイジェクト位置にあるとき、ピックアップカバー５はディスクトレー４に直交してピックアップ９を覆い、ディスクトレー４が実線で示されるドライブ位置にあるときには、ピックアップカバー５がピックアップ９およびターンテール７上から退けられる。
【００３２】
又、図１０のように、ディスクトレー４がドライブ位置とイジェクト位置との間を旋回移動するとき、ピックアップカバー５はその脚部５ａが床板１３に摺接して図１０の時計回りの旋回を規制されたまま、ターンテーブル７に干渉せぬようその上を傾斜姿勢で通過し、ディスクトレー４が図１０の一点鎖線で示されるイジェクト位置に達したときには、ピックアップカバー５が脚部５ｂを床板１３に接したまま、ディスクトレー４に直交してピックアップ９を覆うようになる。
【００３３】
よって、ピックアップ９が外部に露出されてユーザに触れられることがなく、しかもピックアップカバー５によって外部からの塵埃の侵入が防止されるので、ピックアップ９の機能が損なわれず、長期に亘って高品質を維持することができる。
【００３４】
尚、図１０において、床板１３はターンテーブル７やピックアップ９に対向する部分を開口せしめた段付きの板材で、その裏側にはディスクトレー４の旋回移動に必要な伝動部材が配置される。
【００３５】
次に、ディスクトレー４の旋回移動に関係する内部機構について説明する。図１１〜図１３において、１４はディスク駆動装置の背面を成すベースフレームであり、その左右両側には直角に立ち上がる側板１５，１６が設けられる。
【００３６】
図１１、図１２のように、両側板１５，１６にはディスクトレー４の支点軸４ｄを移動案内するガイド溝１５ａ，１６ａが形成され、それらガイド溝１５ａ，１６ａに沿ってディスクトレー４の支点軸４ｄが摺動自在に支持される構成とされている。
【００３７】
特に、一方の側板１５には、図１１のようにガイド溝１５ａに平行する第２ガイド溝１５ｂが形成され、他方の側板１６には、図１２のようにガイド溝１６ａの長さ方向に沿って摺動可能なスライドプレート１７が取り付けられる。
【００３８】
又、図１１および図１２において、１８は図１、図２に示したフロントドア２を構成するドアフレームであり、その両端は軸部１８ａにより両側板１５，１６に結節され、該ドアフレーム１８の自由端側の中央に上記のクランプ盤３（図１２では省略）が取り付けられている。又、１９，２０は左右一対の旋回アームであり、その各一端は軸部１９ａ（旋回アーム２０の軸部は図示せず）にて両側板１５，１６に結節され、他方の各一端は軸部１９ｂ，２０ｂにてディスクトレー４の両側縁中央部に結節されている。特に、一方の旋回アーム１９の一端には軸部１９ｂを中心とする扇形のギア部１９ｃが形成され、そのギア部１９ｃが図７などに示したトリガープレート１１のラック部１１ｂと噛み合わされている。他方、旋回アーム２０には図１２に示される如くその中央部にピン２０ｃが突設される。
【００３９】
図１２において、１７ａはピン２０ｃに対応してスライドプレート１７に形成したカム溝、１７ｂはカム溝１７ａに近接してスライドプレート１７に形成したカム溝、２１は側板１６とドアフレーム１８とを連接するリンクであり、リンク２１の中間部分にはカム溝１７ｂに嵌る従節ピン２１ａが突設され、スライドプレート１７にはリンク２１と側板１６との結節点２１ｂに対応して逃げ溝１７ｃが形成される。
【００４０】
又、図１１および図１２から明らかなように、スライドプレート１７と側板１５との間には図１、図２に示したスライドドア６が掛け渡され、これがスライドプレート１７に連動して上下方向に移動するようにしてある。
【００４１】
ここに、スライドプレート１７が図１２の上下方向に移動すると、そのカム溝１７ｂで従節ピン２１ａが加圧されることによりリンク２１が側板１６との結節点２１ｂを支点に揺動してドアフレーム１８に開閉運動を行わせるようになる一方、旋回アーム２０はピン２０ｃがカム溝１７ａに嵌まり込んでいる間だけスライドプレート１７から旋回駆動力を与えられてディスクトレー４を旋回移動せしめるが、スライドプレート１７の移動に伴って旋回アーム２０のピン２０ｃがカム溝１７ａから外れると、ディスクトレー４に対する旋回駆動力が旋回アーム２０から後述する伝動系に切り換わり、旋回アーム２０が上記とは逆にディスクトレー４の旋回移動に追従して旋回される構成とされている。
【００４２】
尚、一対の旋回アーム１９，２０は同調して駆動するよう軸部１９ａ側が図示せぬ連結板により連結されており、その旋回時には図１４のように一方の旋回アーム１９に形成されたギア部１９ｃにより、トリガープレート１１が移動されて上記のようなディスクの保持動作と解放動作が行われる。
【００４３】
又、ディスクトレー４がドライブ位置と図１２に示されるイジェクト位置との間を旋回移動する途上において、ドアフレーム１８はディスクトレー４の旋回移動を阻害せぬよう図１２の実線で示される最大開放状態となるが、ディスクトレー４がイジェクト位置に達するときにはドアフレーム１８が閉鎖方向に向かって図１２の一点鎖線で示される位置となり、逆にドアフレーム１８が閉じられるとき（ディスクトレー４がイジェクト位置からドライブ位置に旋回移動するとき）には、ドアフレーム１８が図１２の一点鎖線で示す位置から実線位置に開度を拡大させた後で閉鎖方向に向かうという逆行動作が行われる。
【００４４】
次に、図１３において、ベースフレーム１４には、ディスクトレー４に旋回移動を行わせるトレー駆動機構２２のほか、ターンテーブル７やピックアップ９が組み付けられる。トレー駆動機構２２は、歯車列を有して構成される伝動系で、２３はその駆動源を成すモータを示している。
【００４５】
モータ２３の駆動軸にはプーリ２４が取り付けられ、そのプーリ２４とモータ２３に隣接するプーリ２５とにはベルトＢが巻き掛けられる。２５ａはプーリ２５と一体に形成されるギア部、２６はギア部２５ａと噛み合う大径ギア部２６ａを有するアイドルギア２６、２７はアイドルギア２６の小径ギア部２６ｂと噛み合う大径ギア部２７ａを有するカムギア、２８はカムギア２７の小径ギア部２７ｂと噛み合う大径ギア部２８ａを有する出力ギアであり、出力ギア２８の小径ギア部２８ｂは可動ラック２９に噛み合わされている。尚、これらの部材２３〜２９は図１０に示した床板１３により覆われる。
【００４６】
ここに、カムギア２７の小径ギア部２７ｂおよび出力ギア２８の大径ギア部２８ａは、それぞれ円周の一部が欠歯部２７ｃ，２８ｃとされる欠歯ギアであり、このうち出力ギア２８には、欠歯部２８ｃの位置にてカムギア２７の小径ギア部２７ｂ上に突き出す係止爪２８ｄが形成される。一方、カムギア２７には係止爪２８ｄに対応して小径ギア部２７ｂの上面外周縁（欠歯部２７ｃの一端位置）に係止突起２７ｄが形成され、欠歯部２７ｃ，２８ｃにより断絶されたカムギア２７と出力ギア２８の噛合いが、係止突起２７ｄと係止爪２８ｄとの係合により復帰されるようになっている。
【００４７】
又、カムギア２７の小径ギア部２７ｂの上面には、後述するディスク解放レバーを作動させるためのカム溝２７ｅが形成され、カムギア２７の底部には揺動レバー３０を作動させるためのカム溝２７ｆが形成される。
【００４８】
揺動レバー３０は、モータ２３の駆動力を上記スライドプレート１７に伝達して該スライドプレート１７を移動させるもので、その一端部にはカム溝２７ｆに嵌る従節ピン３０ａが設けられ、他端部にはスライドプレート１７に形成される突起１７ｄと係合する係止部３０ｂが形成される。尚、揺動レバー３０は、ベースフレーム１４との結節点３０ｃを中心に揺動可能とされると共に、ベースフレーム１４との間にバネ３１で繋がれて図１３の反時計回りに付勢されている。
【００４９】
又、図１５から明らかなように、カムギア２７のカム溝２７ｆは、その一端から他端に向かってカムギア２７の中心との距離が漸次小さくなる第１経路２７ｆ１と、カムギア２７の中心との距離が漸次大きくなる第２経路２７ｆ２と、が連続する形態であり、このためカムギア２７が一方向に回転する間に図１３に示した揺動レバー３０は正逆に揺動し、以って図１２に示したドアフレーム１８の開閉時における一時的な逆行動作が実現されている。
【００５０】
一方、図１３において、上記の可動ラック２９は、その長手方向に摺動可能にしてベースフレーム１４に配置されるラック部品で、これにはピニオン３２が回転自在に取り付けられている。又、ベースフレーム１４には、可動ラック２９に平行して固定ラック１４ａが形成されるほか、可動ラック２９に隣接して該可動ラック２９と同方向に移動可能なキャリヤプレート３３が設けられ、そのキャリヤプレート３３にはフックレバー３４が揺動自在に結合されている。
【００５１】
図１６、図１７で明らかなように、キャリヤプレート３３にはラック部３３ａが形成されており、そのラック部３３ａと固定ラック１４ａにピニオン３２が常時噛み合う構成とされている。又、図１７で明らかなように、キャリヤプレート３３は、フックレバー３４の先端部との間にディスクトレーの支点軸４ｄを挟み込むための凹部３５を形成する突起３３ｂを有している。尚、図１７において、３４ａはフックレバー３４に形成したガイドピンで、このガイドピン３４ａは図１１に示した第２ガイド溝１５ｂに嵌め込まれる。又、３４ｂはフックレバー３４の揺動中心を成す結節ピンであり、その結節ピン３４ｂにてフックレバー３４がキャリヤプレート３３に揺動自在に結合されている。
【００５２】
そして、以上のようなトレー駆動機構２２によれば、出力ギア２８により可動ラック２９がその長さ方向に移動されると、これに取り付けられたピニオン３２が可動ラック２９と同方向に移動されつつ固定ラック１４ａにより回転されるために、該ピニオン３２と噛み合うラック部３３ａを有するキャリヤプレート３３が可動ラック２９より高速で可動ラック２９と同方向に移動する。従って、図１７に示される如くキャリヤプレート３３とフックレバー３４とより支点軸４ｄを挟み込まれたディスクトレー４は、その支点軸４ｄがキャリヤプレート３３の移動方向（ガイド溝１５ａに沿う上下方向）に移動され、これにより当該ディスクトレー４の旋回移動が行われる。
【００５３】
次に、図１８において、３６は上述のディスク解放レバーを示す。このディスク解放レバー３６は、上記ディスクトレーがドライブ位置に達したときリテーナプレート１０によるディスクの保持を解除するもので、その一端にはリテーナプレート１０の凸部１０ｂに対応する押圧片３６ａが形成される。ここに、係るディスク解放レバー３６は図１０に示した床板１３上にあって出力ギア２８と同軸上に揺動自在に設けられており、その一端には上記押圧片３６ａが形成され、他端にはカムギア２７のカム溝２７ｅに嵌まり込む従節ピン３６ｂが設けられる。一方、同図１８から明らかなように、カム溝２７ｅは無端のリング形で、その一部はカムギア２７の外周側に張り出した膨出部２７ｅ１とされている。そして、その膨出部２７ｅ１に従節ピン３６ｂが位置したとき、他方の押圧片３６ａによりリテーナプレート１０の凸部１０ｂが押圧されてリテーナプレート１０が図１８の時計回りに揺動され、これによりリテーナプレート１０の爪部１０ａがディスクの端面から離間して該リテーナプレート１０によるディスクの保持が解除されるようになっている。尚、従節ピン３６ｂが膨出部２７ｅ１に位置するタイミングは、ディスクトレーがドライブ位置に達するタイミングに一致し、以ってディスクトレーがドライブ位置に達したときはディスクをリテーナプレート１０から解放し、該ディスクを上記ターンテーブルで回転自在に支持することができる。
【００５４】
ここで、以上のように構成されるディスク駆動装置の動作について概説すれば、ディスクトレーがドライブ位置にある状態（図１の状態）において、図示せぬスイッチの操作で図１３に示されるモータ２３を同図反時計回りに駆動すると、カムギア２７が反時計回りに回転しながら揺動レバー３０を時計回りに揺動せしめる。尚、このとき、出力ギア２８はカムギア２７と噛み合わずして静止状態を保っている。
【００５５】
又、揺動レバー３０が上記のように時計回りに揺動されると、スライドプレート１７が図１３の上方に向かって移動を開始する。これにより、図１２に示したドアフレーム１８が開放され始めるほか、旋回アーム２０がそのピン２０ｃをスライドプレート１７のカム溝１７ａにより押圧されて旋回を始めることにより、ディスクトレー４が図１２の一点鎖線で示すイジェクト位置に向かって旋回移動を開始する。
【００５６】
そして、旋回アーム２０のピン２０ｃがカム溝１７ａから脱出するのと同期して図１３に示されるカムギア２７の係止突起２７ｄが出力ギア２８の係止爪２８ｄに係合することにより、出力ギア２８の回転が開始される。これにより、キャリヤプレート３３とフックレバー３４が図１７のようにディスクトレー４の支点軸４ｄを支持しながら同図１７の下方に向かって高速移動するようになるため、ディスクトレー４がイジェクト位置に向かって急速に旋回移動するようになる。
【００５７】
尚、キャリヤプレート３３とフックレバー３４とによるディスクトレー４の旋回移動が進められる途上において、揺動レバー３０の従節ピン３０ａの軌道がカム溝２７ｆの第１経路２７ｆ１から第２経路２７ｆ２（図１５参照）に移行するため、スライドプレート１７は図１２の実線位置に達した後、同図１２の下方に逆行する。従って、ドアフレーム１８は図１２の実線位置まで開放してディスクトレー４の旋回移動を許容し、ディスクトレー４がイジェクト位置に達したときには同図一点鎖線で示される位置まで旋回して開度を縮小する。
【００５８】
又、ディスクトレー４がイジェクト位置に達した段階では、上記のようにピックアップ９がピックアップカバー５で覆われるほか（図１０参照）、旋回アーム１９のギア部１９ｃによるトリガープレート１１の移動により、リテーナプレート１０の揺動が行われてディスクの保持が解除される（図７、図１４参照）。よって、イジェクト位置におけるディスクトレー４からイジェクトされたディスクを取り出すことができる。
【００５９】
次に、ディスクトレーがイジェクト位置にある状態（図２の状態）において、図示せぬスイッチの操作で図１３に示されるモータ２３を同図時計回りに駆動すると、カムギア２７と出力ギア２８が噛み合った状態となっているために、キャリヤプレート３３とフックレバー３４が図１３の下方位置から同図実線位置に向かって上方移動されるのであり、このためディスクトレーがドライブ位置に向かって旋回移動を開始する。
【００６０】
このとき、旋回アーム１９がディスクトレー４にて旋回されることにより、そのギア部１９ｃに噛み合うトリガープレート１１を介してリテーナプレート１０の揺動が開始されてディスクが保持されるようになる（図７、図１４参照）。尚、リテーナプレート１０で保持されるディスクは、第１配置部４ａ１に配置された小径ディスクであるが、第２配置部４ａ２に配置された大径ディスクも凸条４ｆ（図４参照）によりその外周縁を支持されるため脱落が防止される。
【００６１】
一方、ディスクトレー４がドライブ位置に向かって旋回移動するとき、カムギア２７はそのカム溝２７ｆ（図１５参照）により、揺動レバー３０を図１３の時計回りに揺動させた後、その揺動方向を反転させるのであり、このためスライドプレート１７が上方移動後に下方移動して図１２に示されるドアフレーム１８を閉鎖方向に旋回させるようになる。
【００６２】
そして、スライドプレート１７が所定位置まで移動すると、そのカム溝１７ａに図１２に示される旋回アーム２０のピン２０ｃが導入するために、ディスクトレー４の旋回移動が旋回アーム２０を介してスライドプレート１７で行われるようになる。
【００６３】
尚、この段階でフックレバー３４は図１３の実線で示される上限位置に達し、そのガイドピン３４ａが図１１に示される第２ガイド溝１５ｂの端部（図１１の上端）に位置するために、スライドプレート１７によるディスクトレー４の旋回移動時にはフックレバー３４が図１７の一点鎖線で示す位置に揺動してディスクトレー４の支点軸４ｄを解放する。よって、ディスクトレー４はその支点軸４ｄを図１７の上方に移動させながらイジェクト位置に達することになる。又、このとき、図１８のディスク解放レバー３６により、リテーナプレート１０がバネ１２の付勢力に抗して揺動されてディスクが解放されつつ、同ディスクがターンテーブル７とクランプ盤３により中心部をチャッキングされ（図３参照）、更にピックアップカバー５がピックアップ９上（対物レンズ側の面上）から排除されてディスクの記録再生準備が整えられることになる。
【００６４】
以上、本発明に係るディスク駆動装置の好適な構成例を説明したが、ディスクトレー４は円形のディスク配置部４ａを形成するものに限らず、ＭＤ（ミニディスク）のようにカートリッジ付のディスクに対応して断面Ｃ字形の形態とするなどしてもよい。
【００６５】
又、上記例ではディスクトレーの支点軸４ｄを移動支点としたが、これを定位置で回転のみ許容される回転支点としてもよい。但し、支点軸４ｄを回転支点とした場合には図１９(ａ)のようにディスクトレー４の旋回移動による占有スペースが大きくなって筐体の開閉部分の高さ寸法Ｗ１を大きくする必要が生ずるのに対し、支点軸４ｄを移動支点とした場合には、図１９(ｂ)のようにディスクトレー４の旋回移動による占有スペースが小さくなって筐体の開閉部分の高さ寸法Ｗ２を小さくできるという有利な効果が得られる。
【００６６】
更に、上記例では筐体内の定位置に配置されるターンテーブル７に対し、ディスクトレー４が旋回移動する構成としたが、本発明はターンテーブルやピックアップが組み付けられたディスクトレーが筐体内のドライブ位置と筐体外のイジェクト位置との間を直進移動する構成のディスク駆動装置にも適用することができる。
【００６７】
係る構成例を図２０に示して説明すれば、５１は筐体、５２はディスクトレーであり、このディスクトレー５２は筐体５１内のドライブ位置（図２０の実線で示される位置）と筐体外のイジェクト位置（図２０の一点鎖線で示される位置）との間で直進移動可能とされる。５３はディスクトレー５２の移動案内をするガイドレールであり、そのガイドレール５３に沿ってディスクトレー５２が左右両側縁を摺動自在に支持されている。又、ディスクトレー５２には、ターンテーブル５４とピックアップ５５が組み付けられる。
【００６８】
尚、ターンテーブル５４はその外周に向かってバネ付勢される図示せぬチャック爪を有した自己チャッキングタイプとされる一方、ピックアップ５５はターンテーブルに最寄りの位置を初期位置として、ターンテーブル５４に装着されたディスクの半径方向に移動する構成とされる。
【００６９】
又、図２０に示されるように、ディスクトレー５２にはピックアップカバー５６が取り付けられる。このピックアップカバー５６は、ターンテーブル５４に装着されたディスクとピックアップ５５との間でディスクトレー５２の移動方向と同方向に摺動自在に設けられ、その摺動方向一端側ではピックアップ５５（特に対物レンズ５５ａ周辺）を覆い、摺動方向他端側ではピックアップ５５上から排除されるようになっている。つまり、このピックアップカバー５６は、ディスクトレー５２の表面に沿って初期位置のピックアップ５５を覆う位置とピックアップ５５の移動経路から外れる位置との間を移動可能とされる。
【００７０】
特に、ガイドレール５３の一部には、ピックアップカバー５６を移動させるトリガー部材として板バネ５７が取り付けられ、ピックアップカバー５６の一端縁には板バネ５７に対応する突片５６ａが形成される。
【００７１】
そして、本例によれば、イジェクト位置にあるディスクトレー５２のターンテーブル５４にディスクを装着して該ディスクトレー５２をドライブ位置に向けて押し込むと、ピックアップカバー５６がその突片５６ａを板バネ５７に突き当ててディスクトレー５２とは逆側に移動し、ディスクトレー５２がドライブ位置に到達したときにはピックアップカバー５６がピックアップ５５の移動経路から外れた位置にて静止する。
【００７２】
一方、ディスクトレー５２をイジェクト位置に向けて引き出すと、ピックアップカバー５６がその突片５６ａを板バネ５７に突き当ててディスクトレー５２とは逆側に移動し、ディスクトレー５２がイジェクト位置に到達するまでにピックアップカバー５６が初期位置に停止されているピックアップ５５を覆う位置にて静止することになる。従って、ディスクトレー５２がイジェクト位置にあるときもピックアップ５５がユーザにより触られることがなく、これに浮遊する塵埃が付着することも防止される。
【００７３】
尚、ピックアップカバー５６がピックアップ５５を覆う位置に達すると、ディスクの引出力により突片５６ａが板バネ５７の先端から外れ、以ってイジェクト位置へのディスクトレー５２の移動が許容される。
【図面の簡単な説明】
【００７４】
【図１】本発明に係るディスク駆動装置を示す斜視図（ディスク回転時の状態）
【図２】同装置を示す斜視図（ディスクイジェクト時の状態）
【図３】ディスクがターンテーブルに装着された状態を示す説明図
【図４】ディスクトレーの平面図
【図５】ディスクトレーを表面側からみた透視図
【図６】ディスクトレーに配置されたディスクを保持する部品を示す平面図
【図７】ディスクが保持された状態を示す部分拡大図
【図８】ディスクトレーとピックアップカバーの斜視分解図
【図９】ディスクトレーのイジェクト位置とドライブ位置を示す説明図
【図１０】ディスクトレーの旋回移動時の状態を示す説明図
【図１１】本装置の内部構造を部分的に示す右側面図
【図１２】本装置の内部構造を部分的に示す左側面図
【図１３】本装置の内部構造を部分的に示す正面図
【図１４】ディスクトレーの一部を側方から透視図
【図１５】本装置の構成部品を示す底面図
【図１６】ディスクの旋回移動に用いる部品の構成図
【図１７】図１６を側方からみた説明図
【図１８】ディスクトレーに保持されたディスクを解放する機構を示す説明図
【図１９】ディスクトレーの旋回移動時の動作領域を示す説明図
【図２０】本発明の変更例を示す平面概略図
【符号の説明】
【００７５】
１，５１  筐体
２  フロントドア
３  クランプ盤
４，５２  ディスクトレー
４ａ  ディスク配置部
４ｄ  支点軸
５，５６  ピックアップカバー
７，５４  ターンテーブル
９，５５  ピックアップ
【図１】
2008204590.tif 000003
【図２】
2008204590.tif 000004
【図３】
2008204590.tif 000005
【図４】
2008204590.tif 000006
【図５】
2008204590.tif 000007
【図６】
2008204590.tif 000008
【図７】
2008204590.tif 000009
【図８】
2008204590.tif 000010
【図９】
2008204590.tif 000011
【図１０】
2008204590.tif 000012
【図１１】
2008204590.tif 000013
【図１２】
2008204590.tif 000014
【図１３】
2008204590.tif 000015
【図１４】
2008204590.tif 000016
【図１５】
2008204590.tif 000017
【図１６】
2008204590.tif 000018
【図１７】
2008204590.tif 000019
【図１８】
2008204590.tif 000020
【図１９】
2008204590.tif 000021
【図２０】
2008204590.tif 000022